(57)【要約】【課題】本発明は、付加情報を登録することなく電話帳の登録情報を容易に特定することができる携帯電話機電話帳を提供することを目的とする。【解決手段】携帯電話機に設けられる携帯電話機電話帳において、識別子毎に登録名と電話番号とリンク先の識別子を登録する電話帳記憶手段と、前記電話帳記憶手段に記憶されている識別子毎に登録名を表示し、登録されている前記リンク先の識別子に対応する登録名を前記登録名に関連付けてツリー状に表示するツリー表示手段とを有する。【選択図】  図１０
2008277898.tif 000002
【特許請求の範囲】
【請求項１】
携帯電話機に設けられる携帯電話機電話帳において、
識別子毎に登録名と電話番号とリンク先の識別子を登録する電話帳記憶手段と、
前記電話帳記憶手段に記憶されている識別子毎に登録名を表示し、登録されている前記リンク先の識別子に対応する登録名を前記登録名に関連付けてツリー状に表示するツリー表示手段と
を有することを特徴とする携帯電話機電話帳。
【請求項２】
請求項１記載の携帯電話機電話帳において、
前記電話帳記憶手段は、前記識別子毎に更に展開フラグを登録し、
前記ツリー表示手段は、前記展開フラグがオンのときだけ前記リンク先の識別子に対応する登録名を前記登録名に関連付けてツリー状に表示することを特徴とする携帯電話機電話帳。
【請求項３】
請求項１又は２記載の携帯電話機電話帳において、
前記電話帳記憶手段は、前記識別子毎にリンク先の識別子を複数登録することを特徴とする携帯電話機電話帳。
【請求項４】
請求項１乃至３のいずれか１項記載の携帯電話機電話帳において、
前記識別子毎に所定期間毎の発着信回数を計測する計測手段と、
前記電話帳記憶手段に前記識別子毎に登録されたリンク先の識別子の数と前記登録番号毎の発着信回数に基づいて削除候補の登録番号を抽出する削除候補抽出手段と、
前記電話帳記憶手段から前記削除候補の登録番号を削除する削除手段と
を更に有することを特徴とする携帯電話機電話帳。
【請求項５】
請求項１乃至３のいずれか１項記載の携帯電話機電話帳において、
前記識別子毎に所定期間毎の発着信回数を計測する計測手段と、
前記電話帳記憶手段に前記識別子毎に登録されたリンク先の識別子の数と前記登録番号毎の発着信回数に基づいて削除候補の登録番号を抽出する削除候補抽出手段と
を更に有し、
前記ツリー表示手段は、前記削除候補の登録番号の表示を行わないことを特徴とする携帯電話機電話帳。
【発明の詳細な説明】
【技術分野】
【０００１】
本発明は、携帯電話機電話帳に関し、携帯電話機に設けられる携帯電話機電話帳に関する。
【背景技術】
【０００２】
携帯電話機の電話帳に登録された情報は、情報間の関連がなく個々が独立して管理されている。これらの独立した情報に例えばグループ等の任意の属性を持たせることで分類を行い、情報の特定を容易にしていた。
【０００３】
しかし、近年の携帯電話に内蔵する情報記憶媒体の大容量化により、電話帳に膨大な量の情報登録が可能となったため、任意の属性による分類での情報特定に限界が生じている。このため、電話帳に情報を登録する際、ユーザが独自で電話帳として必要な情報以外にメモ等の付加情報を同時に登録する等の自助努力を行って、登録情報の素性を忘却しないようにしている。
【０００４】
なお、特許文献１には、相手の名称の候補となる単語として属性を表す単語を上位の属性から下位の属性となるよう階層毎に表示し、ある階層の単語を表示中に操作者が選択した単語を電話帳の相手の名称として登録することが記載されている。
【０００５】
また、特許文献２には、名称毎にそれに対応する複数の電話番号の一つを代表電話番号に設定しておき、名称が発信宛先選択指定されたとき上記代表電話番号を読み出して発信することが記載されている。
【特許文献１】特開２００３−３２４５１６号公報
【特許文献２】特開平１１−１３６３３８号公報
【発明の開示】
【発明が解決しようとする課題】
【０００６】
従来技術では、次の挙げるような問題があった。まず、電話帳に登録された膨大な情報から、特定の情報を選択することが困難であった。また、登録情報の特定を容易にするメモ等の付加情報を登録する操作が面倒であった。更に、付加情報を登録したとしても携帯電話では表示画面が限られているため、情報の素性を特定するために登録した付加情報が全て表示することができないという問題があった。また、自発的に削除操作を実行しない限り電話帳に不要情報が多数蓄積されてしまい、更に登録情報の特定が困難になるという問題があった。
【０００７】
本発明は、上記の点に鑑みなされたものであり、付加情報を登録することなく電話帳の登録情報を容易に特定することができる携帯電話機電話帳を提供することを目的とする。
【課題を解決するための手段】
【０００８】
本発明の一実施態様による携帯電話機電話帳は、携帯電話機に設けられる携帯電話機電話帳において、
識別子毎に登録名と電話番号とリンク先の識別子を登録する電話帳記憶手段と、
前記電話帳記憶手段に記憶されている識別子毎に登録名を表示し、登録されている前記リンク先の識別子に対応する登録名を前記登録名に関連付けてツリー状に表示するツリー表示手段とを有することにより、付加情報を登録することなく電話帳の登録情報を容易に特定することができる。
【０００９】
前記携帯電話機電話帳において、
前記電話帳記憶手段は、前記識別子毎に更に展開フラグを登録し、
前記ツリー表示手段は、前記展開フラグがオンのときだけ前記リンク先の識別子に対応する登録名を前記登録名に関連付けてツリー状に表示する構成とすることができる。
【００１０】
前記携帯電話機電話帳において、
前記電話帳記憶手段は、前記識別子毎にリンク先の識別子を複数登録する構成とすることができる。
【００１１】
前記携帯電話機電話帳において、
前記識別子毎に所定期間毎の発着信回数を計測する計測手段と、
前記電話帳記憶手段に前記識別子毎に登録されたリンク先の識別子の数と前記登録番号毎の発着信回数に基づいて削除候補の登録番号を抽出する削除候補抽出手段と、
前記電話帳記憶手段から前記削除候補の登録番号を削除する削除手段とを更に有する構成とすることができる。
【００１２】
前記携帯電話機電話帳において、
前記識別子毎に所定期間毎の発着信回数を計測する計測手段と、
前記電話帳記憶手段に前記識別子毎に登録されたリンク先の識別子の数と前記登録番号毎の発着信回数に基づいて削除候補の登録番号を抽出する削除候補抽出手段とを更に有し、
前記ツリー表示手段は、前記削除候補の登録番号の表示を行わない構成とすることができる。
【発明の効果】
【００１３】
本発明によれば、付加情報を登録することなく電話帳の登録情報を容易に特定することができる。
【発明を実施するための最良の形態】
【００１４】
以下、図面に基づいて本発明の実施形態について説明する。
【００１５】
<携帯電話機電話帳の構成>
図１は、携帯電話機電話帳の一実施形態のブロック構成図を示す。同図中、携帯電話機の電話帳は、監視制御部１０、画面表示部２０、キー操作部３０、電話帳用不揮発性メモリ４０、メール用不揮発性メモリ５０、発着信歴用不揮発性メモリ６０を有している。監視制御部１０には、入力解析部１１と電話帳制御部１２とメール制御部１３と履歴制御部１４と削除制御部１５が含まれてる。
【００１６】
キー操作部３０からの入力信号は、入力解析部１１で解析され、画面表示部２０に情報を表示され、また、電話帳制御部１２，メール制御部１３，履歴制御部１４，削除制御部１５それぞれに入力情報として供給される。
【００１７】
電話帳制御部１２に情報が入力されると、電話帳用不揮発性メモリ４０に蓄積された電話帳登録情報を取り出して画面表示部２０に表示し、また、電話帳用不揮発性メモリ４０に電話帳登録情報を登録又は更新する。
【００１８】
同様に、メール制御部１３に情報が入力されると、メール用不揮発性メモリ５０に蓄積されたメール情報を送信し、また、受信したメール情報をメール用不揮発性メモリ５０に書き込み、更に上記メール情報を画面表示部２０に表示する。
【００１９】
また、履歴制御部１４では電話及びメールの発着信履歴情報を履歴用不揮発性メモリ６０に蓄積し、画面表示部２０に表示する。また、履歴制御部１４は電話及びメールの発着信履歴情報を削除制御部１５に通知する。
【００２０】
削除制御部１５は、電話帳用不揮発性メモリ４０の電話帳登録数と電話及びメールの発着信履歴情報を基に電話帳から削除する登録番号を選択して画面表示部２０に表示し、また、電話帳用不揮発性メモリ４０から電話帳登録情報を削除する。
【００２１】
<電話帳用不揮発性メモリの構成>
図２は、電話帳用不揮発性メモリ４０に記憶される電話帳の一実施形態の構成図を示す。同図中、電話帳は、識別子としての登録番号をエントリとしており、各エントリには登録番号の他、登録グループ番号、登録名、登録名よみがな、電話番号１、電話番号２、メールアドレス１、メールアドレス２、住所、メモ、リンク数、展開フラグ、リンク先１、リンク先２、リンク先３、…、リンク先ｍ、非表示フラグが設定される。
【００２２】
登録番号（登録ＩＤ）は例えば連番を用いる。登録グループ番号は登録番号をグループ化する番号である。登録名には登録される人や会社等の名前が登録される。登録名よみがなには登録名のよみがなを登録する。電話番号１，２には上記登録名の固定電話又は移動電話の電話番号を登録し、メールアドレス１，２には上記登録名のメールアドレスを登録する。住所には、上記登録名の住所を登録し、メモには上記登録名に関するメモを登録する。
【００２３】
リンク先１，２，３，…，ｍには、当該登録名に関連付ける登録番号が登録され、リンク数には、当該登録名に関連付けられたリンク先の数が登録される。展開フラグは、オンでリンク先の展開表示ありを指示し、オフで展開表示なしを指示する。非表示フラグは、オフで電話帳への表示し、オンで電話帳への非表示を指示する。
【００２４】
<新規登録>
図３は、電話帳に情報を新規登録する場合のシーケンスを示す。ステップＳ１でユーザは携帯電話機のメニューボタンを押し、ステップＳ２でメニュー画面から「新規登録」又は「追加登録」を選択する。電話帳制御部１２は、その指示に従いステップＳ３で新規作成処理又は追加登録処理を開始する。
【００２５】
その後、電話帳制御部１２は関連付けシーケンスを実行し、ステップＳ１１で画面表示部２０に「関連付け実施？」という旨のメッセージを表示する。
【００２６】
これを受けてユーザは、ステップＳ１２で関連付けの実施を判断する。関連付けを実施する場合は、「関連付け」を実施する選択ボタンを押し、電話帳制御部１２はステップＳ１３で電話帳を表示する。電話帳から関連付けをしたいエントリを選択すると、電話帳制御部１２はステップＳ１４で選択したエントリの情報（例えば登録番号、登録グループ番号、登録名、登録名よみがな、電話番号１、電話番号２、メールアドレス１、メールアドレス２、住所、メモ、リンク数、展開フラグ、リンク先１〜ｍ）を表示する。
【００２７】
更に、決定ボタンを押すと、電話帳制御部１２は選択したエントリの登録番号をコピーして、前記ステップＳ３で新規登録又は追加登録したエントリのリンク先１〜ｍのいずれかに上記コピーした登録番号を登録する。
【００２８】
<発着信履歴から新規登録>
図４は、発着信履歴から電話帳に情報を新規登録する場合のシーケンスを示す。ステップＳ２１でユーザは着信履歴の内容の表示を指示し、ステップＳ２２で着信履歴から電話番号を選択する。そして、ステップＳ２３で携帯電話機のメニューボタンを押し、ステップＳ２４でメニュー画面から「新規登録」又は「追加登録」を選択する。電話帳制御部１２は、その指示に従いステップＳ２５で新規作成処理又は追加登録処理を開始する。
【００２９】
その後、電話帳制御部１２は関連付けシーケンスを実行し、ステップＳ１１で画面表示部２０に「関連付け実施？」という旨のメッセージを表示する。
【００３０】
これを受けてユーザは、ステップＳ１２で関連付けの実施を判断する。関連付けを実施する場合は、「関連付け」を実施する選択ボタンを押し、電話帳制御部１２はステップＳ１３で電話帳を表示する。電話帳から関連付けをしたいエントリを選択すると、電話帳制御部１２はステップＳ１４で選択したエントリの情報（例えば登録番号、登録グループ番号、登録名、登録名よみがな、電話番号１、電話番号２、メールアドレス１、メールアドレス２、住所、メモ、リンク数、展開フラグ、リンク先１〜ｍ）を表示する。
【００３１】
更に、決定ボタンを押すと、電話帳制御部１２は選択したエントリの登録番号をコピーして、前記ステップＳ３で新規登録又は追加登録したエントリのリンク先１〜ｍのいずれかに上記コピーした登録番号を登録する。
【００３２】
<メールから新規登録>
図５は、メールから電話帳に情報を新規登録する場合のシーケンスを示す。ステップＳ３１でユーザはメールの内容の表示を指示し、ステップＳ３２でメールから電話番号又はメールアドレス１，２を選択する。そして、ステップＳ３３で携帯電話機のメニューボタンを押し、ステップＳ３４でメニュー画面から「新規登録」又は「追加登録」を選択する。電話帳制御部１２は、その指示に従いステップＳ３５で新規作成処理又は追加登録処理を開始する。
【００３３】
その後、電話帳制御部１２は関連付けシーケンスを実行し、ステップＳ１１で画面表示部２０に「関連付け実施？」という旨のメッセージを表示する。
【００３４】
これを受けてユーザは、ステップＳ１２で関連付けの実施を判断する。関連付けを実施する場合は、「関連付け」を実施する選択ボタンを押し、電話帳制御部１２はステップＳ１３で電話帳を表示する。電話帳から関連付けをしたいエントリを選択すると、電話帳制御部１２はステップＳ１４で選択したエントリの情報（例えば登録番号、登録グループ番号、登録名、登録名よみがな、電話番号１、電話番号２、メールアドレス１、メールアドレス２、住所、メモ、リンク数、展開フラグ、リンク先１〜ｍ）を表示する。
【００３５】
更に、決定ボタンを押すと、電話帳制御部１２は選択したエントリの登録番号をコピーして、前記ステップＳ３で新規登録又は追加登録したエントリのリンク先１〜ｍのいずれかに上記コピーした登録番号を登録する。
【００３６】
<電話帳の登録情報修正>
図６は、電話帳の登録情報を修正する場合のシーケンスを示す。ステップＳ４１でユーザは電話帳（電話帳用不揮発性メモリ４０）から修正したい登録番号の内容の表示を指示し、ステップＳ４２で携帯電話機のメニューボタンを押し、ステップＳ４３でメニュー画面から「修正」を選択する。電話帳制御部１２は、その指示に従いステップＳ４４で修正処理を開始する。
【００３７】
その後、電話帳制御部１２は関連付けシーケンスを実行し、ステップＳ１１で画面表示部２０に「関連付け実施？」という旨のメッセージを表示する。
【００３８】
これを受けてユーザは、ステップＳ１２で関連付けの実施を判断する。関連付けを実施する場合は、「関連付け」を実施する選択ボタンを押し、電話帳制御部１２はステップＳ１３で電話帳を表示する。電話帳から関連付けをしたいエントリを選択すると、電話帳制御部１２はステップＳ１４で選択したエントリの情報（例えば登録番号、登録グループ番号、登録名、登録名よみがな、電話番号１、電話番号２、メールアドレス１、メールアドレス２、住所、メモ、リンク数、展開フラグ、リンク先１〜ｍ）を表示する。
【００３９】
更に、決定ボタンを押すと、電話帳制御部１２は選択したエントリの登録番号をコピーして、前記ステップＳ３で修正したエントリのリンク先１〜ｍのいずれかに上記コピーした登録番号を登録する。
【００４０】
<電話帳のツリー表示>
図７は、電話帳制御部１２が実行する電話帳のツリー表示処理の一実施形態のフローチャートを示す。同図中、ステップＳ１００〜Ｓ１０８間は登録番号（登録ＩＤ）分だけ繰り返し実行される。ステップＳ１０１では当該登録番号（現登録ＩＤ）の登録名を表示し、ステップＳ１０２で当該登録番号のリンク数Ｌｎ>０であるか否かを判別し、Ｌｎ>０であればステップＳ１０３で展開フラグ（ｆｌａｇ）がオンか否かを判別する。
【００４１】
展開フラグがオンのときはステップＳ１０４で展開済みマーク（つまり「−」）を表示してステップＳ１０６で展開表示モジュールを実行してステップＳ１０７に進み当該登録番号のリンク数Ｌｎを表示する。
【００４２】
展開フラグがオフのときはステップＳ１０５で展開可能マーク（つまり「＋」）を表示してステップＳ１０７に進み当該登録番号のリンク数Ｌｎを表示する。また、ステップＳ１０２でＬｎ≦０の場合は直接ステップＳ１０７に進み当該登録番号のリンク数Ｌｎを表示する。
【００４３】
図８は、展開表示モジュールの一実施形態のフローチャートを示す。同図中、ステップＳ１１０〜Ｓ１１４間はリンク先１〜ｍ分だけ繰り返し実行される。ステップＳ１１２でリンク先ｎ（ｎは１〜ｍ）が登録されているか否かを判別し、登録されている場合にのみステップＳ１１３でリンク先表示モジュールを実行する。
【００４４】
図９は、リンク先表示モジュールの一実施形態のフローチャートを示す。同図中、ステップＳ１２０でリンク先ｎが登録されているか否かを判別し、登録されている場合にのみ、ステップＳ１２１でリンク先の登録番号の登録名を階層表示し、ステップＳ１２２でリンク先の登録番号のリンク数を表示する。
【００４５】
図１０（Ａ）〜（Ｅ）に電話帳用不揮発性メモリ４０の内容と電話帳の表示例を左右に並べて示す。
【００４６】
図１０（Ａ）では、全ての登録番号（ＩＤ＝１〜６）についてリンク数Ｌｎが「０」、かつ展開フラグｆｌａｇがオフである。この場合はツリー表示は行われず、各登録番号の登録名とリンク数が表示される。
【００４７】
図１０（Ｂ）では、登録番号（ＩＤ＝１）ついてリンク数Ｌｎが「０」、かつ展開フラグｆｌａｇがオンであり、他の登録番号（ＩＤ＝２〜６）についてリンク数Ｌｎが「０」、かつ展開フラグｆｌａｇがオフである。この場合、ＩＤ＝１のエントリは展開フラグｆｌａｇがオンであるものの、リンク数Ｌｎが「０」のためツリー表示は行われず、各登録番号の登録名とリンク数が表示される。
【００４８】
図１０（Ｃ）では、登録番号（ＩＤ＝１）ついてリンク数Ｌｎが「２」、かつ展開フラグｆｌａｇがオンであり、リンク先１（Ｆ１）＝４，リンク先２（Ｆ２）＝６である。このため、ＩＤ＝１の登録名「Ａさん」について、展開済みマークＭ１（つまり「−」）を付けて、リンク先１であるＩＤ＝４の登録名「Ｄさん」及びそのリンク数「０」と、リンク先２であるＩＤ＝６の登録名「Ｆさん」及びそのリンク数「０」をツリー表示する。他の登録番号（ＩＤ＝２〜６）については展開フラグｆｌａｇがオフであるためツリー表示は行われず、各登録番号の登録名とリンク数が表示される。
【００４９】
なお、展開済みマークＭ１にカーソルを合わせてクリックすることにより、登録番号（ＩＤ＝１）の展開フラグｆｌａｇをオフに変更して、展開済みマークＭ１を展開可能マークＭ２に変更し、リンク先１，２のツリー表示を消すことができる。
【００５０】
図１０（Ｄ）では、登録番号（ＩＤ＝１）ついてリンク数Ｌｎが「２」であるが、展開フラグｆｌａｇがオフであるため、展開可能マークＭ２（つまり「＋」）を付けてツリー表示は行わず、各登録番号の登録名とリンク数を表示する。他の登録番号（ＩＤ＝２〜６）については展開フラグｆｌａｇがオフであるためツリー表示は行われず、各登録番号の登録名とリンク数が表示される。
【００５１】
なお、展開可能マークＭ２にカーソルを合わせてクリックすることにより、登録番号（ＩＤ＝１）の展開フラグｆｌａｇをオンに変更して、展開可能マークＭ２を展開済みマークＭ１に変更し、リンク先１，２のツリー表示を表示することができる。
【００５２】
図１０（Ｅ）では、登録番号（ＩＤ＝１）ついてリンク数Ｌｎが「２」、かつ展開フラグｆｌａｇがオンであり、リンク先１（Ｆ１）＝４，リンク先２（Ｆ２）＝６である。このため、ＩＤ＝１の登録名「Ａさん」について、展開済みマークＭ１（つまり「−」）を付けて、リンク先１であるＩＤ＝４の登録名「Ｄさん」及びそのリンク数「０」と、リンク先２であるＩＤ＝６の登録名「Ｆさん」及びそのリンク数「０」をツリー表示する。
【００５３】
更に、登録番号（ＩＤ＝４）ついてリンク数Ｌｎが「１」、かつ展開フラグｆｌａｇがオンであり、リンク先１（Ｆ１）＝３であるため、ＩＤ＝４の登録名「Ｄさん」について、展開済みマークＭ１（つまり「−」）を付けて、リンク先１であるＩＤ＝３の登録名「Ｃさん」及びそのリンク数「０」をツリー表示する。
【００５４】
他の登録番号（ＩＤ＝２，３，５，６）については展開フラグｆｌａｇがオンであるが、ＩＤ＝４以外はリンク数Ｌｎが「０」であり、ＩＤ＝４の登録名「Ｄさん」以外はツリー表示を行わず、各登録番号の登録名とリンク数が表示される。
【００５５】
ところで、電話帳のツリー表示は、電話帳の全てを画面表示部２０に一度に表示できない場合、スクロールすることで対応する。キー操作部３０から上スクロール又は下スクロールを指示することにより、電話帳のツリー表示は上又は下にスクロールする。
【００５６】
このように、関連付けシーケンスを実施することにより、電話帳に登録されている登録番号を関連付けすることができ、これをツリー表示することで登録番号の関連を一目で知ることができる。また、電話帳をスクロール表示することで、携帯電話の限られた表示画面に全ての登録番号の内容を表示でき、携帯電話の表示画面を有効活用することができる。
【００５７】
<画面固定スクロール>
図１１は、電話帳のツリー表示における画面固定スクロールを説明するための図を示す。
図１１（Ａ）に示すツリー表示状態において、キー操作部３０を操作してサブメニューＳＭを表示させ、サブメニューＳＭ内の「画面固定」をクリックする。
【００５８】
これにより、図１１（Ｂ）に示す十字破線の画面固定カーソルＣ１が表示される。図１１（Ｃ）に示すように画面固定カーソルＣ１を所望の位置に移動させ、キー操作部３０の入力ボタンを操作することにより、表示画面は分割されて画面固定カーソルＣ１より右下領域Ａ２のみがスクロール可能となり、画面固定カーソルＣ１より上の領域Ａ１ではスクロールできなくなり表示が固定される。つまり、領域Ａ２をスクロールさせて領域Ａ２の表示内容と、領域Ａ１の表示内容とを比較することができる。
【００５９】
<電話帳の自動削除>
削除制御部１５はキー操作部３０から自動削除の設定と解除を指示される。削除制御部１５は、所定時間（例えば数日〜数ヶ月）毎に電話帳の削除処理を実行する。
【００６０】
図１２は、削除制御部１５が実行する電話帳の削除処理の一実施形態のフローチャートを示す。同図中、削除制御部１５は、ステップＳ１３０で所定時間が経過したか否かを判別する。所定時間が経過した場合はステップＳ１３１で電話帳制御部１２から電話帳の登録番号毎のリンク数を取込む。また、ステップＳ１３２で履歴制御部１４から登録番号毎の電話の発着信回数とメールの発着信回数を取込み、ステップＳ１３３で履歴制御部１４に対し登録番号毎の電話の発着信回数とメールの発着信回数のゼロリセットを指示する。
【００６１】
次に、ステップＳ１３４で、登録番号毎に、リンク数、電話の発着信回数、メールの発着信回数それぞれのポイント化を行う。
【００６２】
ポイント化は、図１３に示すように、リンク数ｉが５以下なら１点、リンク数ｉが６以上〜１９以下なら２点、リンク数ｉが２０以上なら３点である。また、電話の発着信回数ｊが５以下なら１点、電話の発着信回数ｊが６以上〜４９以下なら２点、電話の発着信回数ｊが５０以上なら３点である。また、メールの発着信回数ｋが５以下なら１点、メールの発着信回数ｋが６以上〜４９以下なら２点、メールの発着信回数ｋが５０以上なら３点である。
【００６３】
ステップＳ１３５で、登録番号毎に、リンク数、電話の発着信回数、メールの発着信回数それぞれのポイントを加算した合計値が小さい順に登録番号を並べ替える。そして、電話帳の登録番号の総数を１００％として、上記合計値が小さい順に登録番号の総数の１０％に当たる数の登録番号を削除候補として抽出する。
【００６４】
なお、ステップＳ１３５では、ポイントの合計値が閾値（例えば「３」）以下である登録番号を抽出する構成としても良い。
【００６５】
削除制御部１５は、次のステップＳ１３６で自動削除の設定がなされているか否かを判別し、自動削除が設定されている場合はステップＳ１３７で削除候補の登録番号のエントリを電話帳用不揮発性メモリ４０に記憶されている電話帳から削除する。
【００６６】
一方、自動削除が設定されていない場合は、ステップＳ１３８で削除候補の登録番号及びその登録名を画面表示部２０に表示して、ユーザに電話帳からの削除する削除候補の選択を促す。ユーザが表示された削除候補の全て或いは一部を選択すると、ステップＳ１３９で選択された削除候補の登録番号のエントリを電話帳用不揮発性メモリ４０に記憶されている電話帳から削除する。
【００６７】
このように、電話帳の登録情報を自動的に削除するため、電話帳メンテナンスが容易となり、これによって不要情報が減少するため、電話帳内情報の特定が容易となる。
【００６８】
ところで、図２に示す電話帳の各エントリの最後尾には１ビットの非表示フラグが設けられている。非表示フラグがオフのとき当該登録番号の内容を画面表示部２０に表示し、非表示フラグがオンのとき当該登録番号の内容を画面表示部２０に表示しない構成としても良い。このような構成では、図１２の削除処理では、電話帳から削除する登録番号について、実際にエントリとしての登録番号を削除するのではなく、当該エントリの非表示フラグをオンにする。
【００６９】
この構成では、電話帳からエントリを削除するのではなく、非表示フラグがオンの登録番号の内容を画面表示部２０に表示しないだけであるため、誤って登録番号の削除を指示したとしても、非表示フラグをオフとすることで当該登録番号の内容の表示を復活させることができる。
【００７０】
なお、上記実施形態では、電話帳記憶手段の一例として電話帳用不揮発性メモリ４０を用い、ツリー表示手段の一例としてステップＳ１００〜Ｓ１０８を用い、計測手段の一例として履歴制御部１４を用い、削除候補抽出手段の一例としてＳ１３０〜Ｓ１３５を用い、削除手段の一例としてステップＳ１３７を用いている。
（付記１）
携帯電話機に設けられる携帯電話機電話帳において、
識別子毎に登録名と電話番号とリンク先の識別子を登録する電話帳記憶手段と、
前記電話帳記憶手段に記憶されている識別子毎に登録名を表示し、登録されている前記リンク先の識別子に対応する登録名を前記登録名に関連付けてツリー状に表示するツリー表示手段と
を有することを特徴とする携帯電話機電話帳。
（付記２）
付記１記載の携帯電話機電話帳において、
前記電話帳記憶手段は、前記識別子毎に更に展開フラグを登録し、
前記ツリー表示手段は、前記展開フラグがオンのときだけ前記リンク先の識別子に対応する登録名を前記登録名に関連付けてツリー状に表示することを特徴とする携帯電話機電話帳。
（付記３）
付記１又は２記載の携帯電話機電話帳において、
前記電話帳記憶手段は、前記識別子毎にリンク先の識別子を複数登録することを特徴とする携帯電話機電話帳。
（付記４）
付記１乃至３のいずれか１項記載の携帯電話機電話帳において、
前記識別子毎に所定期間毎の発着信回数を計測する計測手段と、
前記電話帳記憶手段に前記識別子毎に登録されたリンク先の識別子の数と前記登録番号毎の発着信回数に基づいて削除候補の登録番号を抽出する削除候補抽出手段と、
前記電話帳記憶手段から前記削除候補の登録番号を削除する削除手段と
を更に有することを特徴とする携帯電話機電話帳。
（付記５）
付記１乃至３のいずれか１項記載の携帯電話機電話帳において、
前記識別子毎に所定期間毎の発着信回数を計測する計測手段と、
前記電話帳記憶手段に前記識別子毎に登録されたリンク先の識別子の数と前記登録番号毎の発着信回数に基づいて削除候補の登録番号を抽出する削除候補抽出手段と
を更に有し、
前記ツリー表示手段は、前記削除候補の登録番号の表示を行わないことを特徴とする携帯電話機電話帳。
（付記６）
付記４又は５記載の携帯電話機電話帳において、
前記計測手段は、前記識別子毎に所定期間毎の電話及びメールの発着信回数を計測し、
前記削除候補抽出手段は、電話帳記憶手段に前記識別子毎に登録されたリンク先の識別子の数と前記登録番号毎の電話及びメールの発着信回数に基づいて削除候補の登録番号を抽出することを特徴とする携帯電話機電話帳。
（付記７）
付記１乃至６のいずれか１項記載の携帯電話機電話帳において、
前記ツリー表示手段は、スクロールを行うことを特徴とする携帯電話機電話帳。
（付記８）
付記７記載の携帯電話機電話帳において、
前記ツリー表示手段は、表示画面の一部を固定してスクロールを行うことを特徴とする携帯電話機電話帳。
【図面の簡単な説明】
【００７１】
【図１】携帯電話機電話帳機能の一実施形態のブロック構成図である。
【図２】電話帳用不揮発性メモリに記憶される電話帳の一実施形態の構成図である。
【図３】電話帳に情報を新規登録する場合のシーケンスである。
【図４】発着信履歴から電話帳に情報を新規登録する場合のシーケンスである。
【図５】メールから電話帳に情報を新規登録する場合のシーケンスである。
【図６】電話帳の登録情報を修正する場合のシーケンスである。
【図７】電話帳のツリー表示処理の一実施形態のフローチャートである。
【図８】展開表示モジュールの一実施形態のフローチャートである。
【図９】リンク先表示モジュールの一実施形態のフローチャートである。
【図１０】電話帳用不揮発性メモリの内容と電話帳の表示例を示す図である。
【図１１】電話帳のツリー表示における画面固定スクロールを説明するための図である。
【図１２】電話帳の削除処理の一実施形態のフローチャートである。
【図１３】リンク数、電話の発着信回数、メールの発着信回数それぞれのポイント化を説明するためのである。
【符号の説明】
【００７２】
１０  監視制御部
１１  入力解析部
１２  電話帳制御部
１３  メール制御部
１４  履歴制御部
１５  削除制御部
２０  画面表示部
３０  キー操作部
４０  電話帳用不揮発性メモリ
５０  メール用不揮発性メモリ
６０  発着信歴用不揮発性メモリ
【図１】
2008277898.tif 000003
【図２】
2008277898.tif 000004
【図３】
2008277898.tif 000005
【図４】
2008277898.tif 000006
【図５】
2008277898.tif 000007
【図６】
2008277898.tif 000008
【図７】
2008277898.tif 000009
【図８】
2008277898.tif 000010
【図９】
2008277898.tif 000011
【図１０】
2008277898.tif 000012
【図１１】
2008277898.tif 000013
【図１２】
2008277898.tif 000014
【図１３】
2008277898.tif 000015